【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
通信媒体を介して１又は複数の情報処理装置と、蓄積印刷用プリントサーバと、印刷管理サーバと、１又は複数の印刷装置とで構成されるプリントシステムであって、
前記蓄積印刷用プリントサーバは、
前記情報処理装置で生成された印刷データを格納する格納手段と、
前記格納手段で格納された前記印刷データを特定する情報を含む書誌情報データを前記印刷管理サーバに送信する書誌情報データ送信手段と、
前記印刷管理サーバから送信された、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力する印刷データ出力手段と、
前記印刷データ出力手段での出力に際して、前記印刷データが印刷実行できなかったと判定された印刷データを特定する情報である出力結果を前記印刷管理サーバに通知する通知手段とを有し、
前記印刷管理サーバは、
前記蓄積印刷用プリントサーバから受信した前記印刷データを特定する情報を含む書誌情報データを記憶管理する書誌情報データ記憶手段と、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、
当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、
前記蓄積印刷用プリントサーバから通知される出力結果に従って生成される、印刷実行できなかった印刷データを特定する情報を含む印刷結果を、前記印刷要求信号が送信された印刷装置に通知する印刷結果通知手段とを有し、
前記印刷装置は、
前記印刷管理サーバから前記印刷データを特定する情報を含む一覧と、前記印刷結果とを受信する受信手段と、
ユーザの指定に応じて出力指示された、当該印刷装置で印刷する印刷データを特定する情報を含む印刷要求信号を前記印刷管理サーバに送信する印刷要求手段と、
前記印刷要求信号に応じて、前記蓄積印刷用プリントサーバから送信される印刷データを受信して印刷処理を行う印刷処理手段と、
前記受信手段で受信した一覧と、前記印刷結果に従って特定される印刷実行できなかった印刷データを識別可能な情報とを表示させる表示手段とを有する
ことを特徴とするプリントシステム。
【請求項２】
前記印刷管理サーバは、
前記出力結果に従って特定される印刷実行できなかった印刷データに対応する書誌情報データに、当該印刷データが印刷実行できなかったことを示す情報を対応付けて記憶する印刷結果記憶手段を有することを特徴とする請求項１に記載のプリントシステム。
【請求項３】
前記印刷装置は、前記印刷管理サーバに、印刷結果の問い合わせ要求を送信する問合要求送信手段を有し、
前記印刷管理サーバは、前記印刷装置から印刷結果の問い合わせ要求を受信する問合要求受信手段を有し、
前記印刷結果通知手段は、前記問合要求受信手段での印刷結果の問い合わせ要求に従って、前記印刷装置に前記印刷結果を通知することを特徴とする請求項１または２に記載のプリントシステム。
【請求項４】
前記印刷装置は、
前記受信手段で受信した印刷結果を記憶する印刷結果記憶手段と、
前記表示手段で、一覧を表示するに際して、当該一覧に含まれる印刷データを特定する情報と、前記印刷結果記憶手段で記憶した印刷結果に含まれる印刷実行できなかったと判定された印刷データを特定する情報とが一致するか否かを判定する判定手段とを有し、
前記表示手段は、前記判定手段で一致した印刷データが印刷実行できなかったことを識別可能に、一覧を表示することを特徴とする請求項１乃至３のいずれか１項に記載のプリントシステム。
【請求項５】
前記通知手段で通知される出力結果は、前記蓄積印刷用プリントサーバのオペレーティングシステムによって印刷実行できなかったと判定された印刷データを特定する情報を含む印刷エラー情報であることを特徴とする請求項１乃至４のいずれか１項に記載のプリントシステム。
【請求項６】
前記印刷エラー情報は、前記印刷データ出力手段での出力の際の通信に関するエラー情報であることを特徴とする請求項５に記載のプリントシステム。
【請求項７】
前記通知手段で通知される出力結果は、印刷実行できたと判定された印刷データを特定する情報を含むことを特徴とする請求項５または６に記載のプリントシステム。
【請求項８】
前記印刷装置は、前記表示手段で表示された一覧から出力指示する印刷データを選択する選択手段を有し、
前記選択手段は、前記印刷データの一括選択がなされた場合、前記印刷実行できなかった印刷データを含まない印刷データを選択することを特徴とする請求項１乃至７のいずれか１項に記載のプリントシステム。
【請求項９】
１又は複数の情報処理装置と、蓄積印刷用プリントサーバと、１又は複数の印刷装置と通信媒体を介して接続される印刷管理サーバであって、
前記蓄積印刷用プリントサーバから受信した前記情報処理装置で生成された印刷データを特定する情報を含む書誌情報データを記憶管理する書誌情報データ記憶手段と、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、
当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、
前記蓄積印刷用プリントサーバから通知される印刷実行できなかったと判定された印刷データを特定する情報である出力結果に従って生成される、印刷実行できなかった印刷データを特定する情報を含む印刷結果を、前記印刷要求信号が送信された印刷装置に通知する印刷結果通知手段と、
を有することを特徴とする印刷管理サーバ。
【請求項１０】
１又は複数の情報処理装置と、印刷管理サーバと、蓄積印刷用プリントサーバと通信媒体を介して接続される印刷装置であって、
前記印刷管理サーバから印刷データを特定する情報を含む一覧と、印刷結果とを受信する受信手段と、
ユーザの指定に応じて出力指示された、当該印刷装置で印刷する印刷データを特定する情報を含む印刷要求信号を前記印刷管理サーバに送信する印刷要求手段と、
前記印刷要求信号に応じて、前記蓄積印刷用プリントサーバから送信される印刷データを受信して印刷処理を行う印刷処理手段と、
前記受信手段で受信した一覧と、前記印刷結果に従って特定される印刷実行できなかった印刷データを識別可能な情報とを表示させる表示手段と、
を有することを特徴とする印刷装置。
【請求項１１】
通信媒体を介して１又は複数の情報処理装置と、蓄積印刷用プリントサーバと、印刷管理サーバと、１又は複数の印刷装置とで構成されるプリントシステムの制御方法であって、
前記蓄積印刷用プリントサーバは、
前記情報処理装置で生成された印刷データを記憶手段に格納する格納ステップと、
前記格納ステップで格納された前記印刷データを特定する情報を含む書誌情報データ
を前記印刷管理サーバに送信する書誌情報データ送信ステップと、
前記印刷管理サーバから送信された、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力する印刷データ出力ステップと、
前記印刷データ出力ステップでの出力に際して、前記印刷データが印刷実行できなかったと判定された印刷データを特定する情報である出力結果を前記印刷管理サーバに通知する通知ステップと
を実行し、
前記印刷管理サーバは、
前記蓄積印刷用プリントサーバから受信した前記印刷データを特定する情報を含む書誌情報データを記憶管理する書誌情報データ記憶ステップと、
前記印刷装置に前記印刷データを特定する情報を含む一覧を送信し、当該送信された一覧から当該印刷装置でユーザによって出力指示された印刷データを特定する情報を含む印刷要求信号を印刷管理サーバ受信手段が受信する印刷要求信号受信ステップと、
当該印刷要求信号受信ステップで受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力ステップと、
前記蓄積印刷用プリントサーバから通知される出力結果に従って生成される、印刷実行できなかった印刷データを特定する情報を含む印刷結果を、前記印刷要求信号が送信された印刷装置に通知する印刷結果通知ステップと
を実行し
前記印刷装置は、
前記印刷管理サーバから前記印刷データを特定する情報を含む一覧と、前記印刷結果とを印刷装置受信手段が受信する受信ステップと、
ユーザの指定に応じて出力指示された、当該印刷装置で印刷する印刷データを特定する情報を含む印刷要求信号を前記印刷管理サーバに送信する印刷要求ステップと、
前記印刷要求信号に応じて、前記蓄積印刷用プリントサーバから送信される印刷データを受信して印刷処理を行う印刷処理ステップと、
前記受信ステップで受信した一覧と、前記印刷結果に従って特定される印刷実行できなかった印刷データを識別可能な情報とを表示手段に表示させる表示ステップと
を実行することを特徴とする制御方法。
【請求項１２】
１又は複数の情報処理装置と、蓄積印刷用プリントサーバと、１又は複数の印刷装置と通信媒体を介して接続される印刷管理サーバの制御方法であって、
前記蓄積印刷用プリントサーバから受信した前記情報処理装置で生成された印刷データを格納する蓄積印刷用プリントサーバを特定する情報および前記印刷データの識別情報を含む書誌情報データを記憶管理する書誌情報データ記憶ステップと、
前記印刷装置に前記印刷データを特定する情報を含む一覧を送信し、当該送信された一覧から当該印刷装置でユーザによって出力指示された印刷データを特定する情報を含む印刷要求信号を印刷管理サーバ受信手段が受信する印刷要求信号受信ステップと、
当該印刷要求信号受信ステップで受信した印刷要求信号に含まれる印刷データを特定する情報に対応する印刷データを格納している蓄積印刷用プリントサーバを特定する蓄積印刷用プリントサーバ特定ステップと、
前記蓄積印刷用プリントサーバ特定ステップで特定した蓄積印刷用プリントサーバに対して、前記印刷装置および前記印刷データを特定する情報を含む印刷命令信号を出力する印刷命令信号出力ステップと、
前記蓄積印刷用プリントサーバから通知される印刷実行できなかったと判定された印刷データを特定する情報である出力結果に従って生成される、印刷実行できなかった印刷データを特定する情報を含む印刷結果を、前記印刷要求信号が送信された印刷装置に通知する印刷結果通知ステップと
を実行することを特徴とする制御方法。
【請求項１３】
１又は複数の情報処理装置と、印刷管理サーバと、蓄積印刷用プリントサーバと通信媒体を介して接続される印刷装置の制御方法であって、
前記印刷管理サーバから印刷データを特定する情報を含む一覧と、印刷結果とを印刷装置受信手段が受信する受信ステップと、
ユーザの指定に応じて出力指示された、当該印刷装置で印刷する印刷データを特定する情報を含む印刷要求信号を前記印刷管理サーバに送信する印刷要求ステップと、
前記印刷要求信号に応じて、前記蓄積印刷用プリントサーバから送信される印刷データを受信して印刷処理を行う印刷処理ステップと、
前記受信ステップで受信した一覧と、前記印刷結果に従って特定される印刷実行できなかった印刷データを識別可能な情報とを表示部に表示させる表示ステップと
を実行することを特徴とする制御方法。
【請求項１４】
通信媒体を介して１又は複数の情報処理装置と、蓄積印刷用プリントサーバと、印刷管理サーバと、１又は複数の印刷装置とで構成されるプリントシステムで実行されるプログラムであって、
前記蓄積印刷用プリントサーバを、
前記情報処理装置で生成された印刷データを格納する格納手段と、
前記格納手段で格納された前記印刷データを特定する情報を含む書誌情報データ
を前記印刷管理サーバに送信する書誌情報データ送信手段と、
前記印刷管理サーバから送信された、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力する印刷データ出力手段と、
前記印刷データ出力手段での出力に際して、前記印刷データが印刷実行できなかったと判定された印刷データを特定する情報である出力結果を前記印刷管理サーバに通知する通知手段として機能させ、
前記印刷管理サーバを、
前記蓄積印刷用プリントサーバから受信した前記印刷データを特定する情報を含む書誌情報データを記憶管理する書誌情報データ記憶手段と、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、
当該印刷要求信号受信手段で受信した印刷要求信号に含まれる印刷データを特定する情報に対応する印刷データ出力すべく、当該印刷データをを格納している蓄積印刷用プリントサーバに対して、前記印刷装置および前記印刷データを特定する情報を含む印刷命令信号を出力する印刷命令信号出力手段と、
前記蓄積印刷用プリントサーバから通知される出力結果に従って生成される、印刷実行できなかった印刷データを特定する情報を含む印刷結果を、前記印刷要求信号が送信された印刷装置に通知する印刷結果通知手段として機能させ、
前記印刷装置を、
前記印刷管理サーバから前記印刷データを特定する情報を含む一覧と、前記印刷結果とを受信する受信手段と、
ユーザの指定に応じて出力指示された、当該印刷装置で印刷する印刷データを特定する情報を含む印刷要求信号を前記印刷管理サーバに送信する印刷要求手段と、
前記印刷要求信号に応じて、前記蓄積印刷用プリントサーバから送信される印刷データを受信して印刷処理を行う印刷処理手段と、
前記受信手段で受信した一覧と、前記印刷結果に従って特定される印刷実行できなかった印刷データを識別可能な情報とを表示させる表示手段として機能させることを特徴とするプログラム。
【請求項１５】
１又は複数の情報処理装置と、蓄積印刷用プリントサーバと、１又は複数の印刷装置と通信媒体を介して接続される印刷管理サーバで実行されるプログラムであって、
前記印刷管理サーバを、
前記蓄積印刷用プリントサーバから受信した前記情報処理装置で生成された印刷データを特定する情報を含む書誌情報データを記憶管理する書誌情報データ記憶手段と、
前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、
当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、
前記蓄積印刷用プリントサーバから通知される印刷実行できなかったと判定された印刷データを特定する情報である出力結果に従って生成される、印刷実行できなかった印刷データを特定する情報を含む印刷結果を、前記印刷要求信号が送信された印刷装置に通知する印刷結果通知手段として機能させることを特徴とするプログラム。
【請求項１６】
１又は複数の情報処理装置と、印刷管理サーバと、蓄積印刷用プリントサーバと通信媒体を介して接続される印刷装置で実行されるプログラムであって、
前記印刷装置を、
前記印刷管理サーバから印刷データを特定する情報を含む一覧と、印刷実行できなかった印刷データを特定する情報を含む印刷結果とを受信する受信手段と、
ユーザの指定に応じて出力指示された、当該印刷装置で印刷する印刷データを特定する情報を含む印刷要求信号を前記印刷管理サーバに送信する印刷要求手段と、
前記印刷要求信号に応じて、前記蓄積印刷用プリントサーバから送信される印刷データを受信して印刷処理を行う印刷処理手段と、
前記受信手段で受信した一覧と、前記印刷結果に従って特定される印刷実行できなかった印刷データを識別可能な情報とを表示させる表示手段として機能させることを特徴とするプログラム。
【手続補正２】
【補正対象書類名】明細書
【補正対象項目名】発明の名称
【補正方法】変更
【補正の内容】
【発明の名称】プリントシステムおよび印刷管理サーバおよび印刷装置およびプリントシステムの制御方法および印刷管理サーバの制御方法および印刷装置の制御方法およびプログラム
【手続補正３】
【補正対象書類名】明細書
【補正対象項目名】０００７
【補正方法】変更
【補正の内容】
【０００７】
本発明の目的は、プルプリントシステムにおいて、プリントサーバに蓄積された印刷データを所望の印刷装置から出力させる際に、どの印刷データの印刷実行がエラーになったのかを、印刷管理サーバからの通知により印刷装置側で容易に把握することができる仕組を提供することである。
【手続補正４】
【補正対象書類名】明細書
【補正対象項目名】０００８
【補正方法】変更
【補正の内容】
【０００８】
本発明は、通信媒体を介して１又は複数の情報処理装置と、蓄積印刷用プリントサーバと、印刷管理サーバと、１又は複数の印刷装置とで構成されるプリントシステムであって、前記蓄積印刷用プリントサーバは、前記情報処理装置で生成された印刷データを格納する格納手段と、前記格納手段で格納された前記印刷データを特定する情報を含む書誌情報データを前記印刷管理サーバに送信する書誌情報データ送信手段と、前記印刷管理サーバから送信された、出力指示のあった印刷装置を特定する情報および前記格納した印刷データを特定する情報を含む印刷命令信号に基づいて、前記出力指示のあった印刷装置で印刷するべく前記印刷データを特定する情報に対応する印刷データを出力する印刷データ出力手段と、前記印刷データ出力手段での出力に際して、前記印刷データが印刷実行できなかったと判定された印刷データを特定する情報である出力結果を前記印刷管理サーバに通知する通知手段とを有し、前記印刷管理サーバは、前記蓄積印刷用プリントサーバから受信した前記印刷データを特定する情報を含む書誌情報データを記憶管理する書誌情報データ記憶手段と、前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、前記蓄積印刷用プリントサーバから通知される出力結果に従って生成される、印刷実行できなかった印刷データを特定する情報を含む印刷結果を、前記印刷要求信号が送信された印刷装置に通知する印刷結果通知手段とを有し、前記印刷装置は、前記印刷管理サーバから前記印刷データを特定する情報を含む一覧と、前記印刷結果とを受信する受信手段と、ユーザの指定に応じて出力指示された、当該印刷装置で印刷する印刷データを特定する情報を含む印刷要求信号を前記印刷管理サーバに送信する印刷要求手段と、前記印刷要求信号に応じて、前記蓄積印刷用プリントサーバから送信される印刷データを受信して印刷処理を行う印刷処理手段と、前記受信手段で受信した一覧と、前記印刷結果に従って特定される印刷実行できなかった印刷データを識別可能な情報とを表示させる表示手段とを有することを特徴とする。
【手続補正５】
【補正対象書類名】明細書
【補正対象項目名】０００９
【補正方法】変更
【補正の内容】
【０００９】
また、本発明は、１又は複数の情報処理装置と、蓄積印刷用プリントサーバと、１又は複数の印刷装置と通信媒体を介して接続される印刷管理サーバであって、前記蓄積印刷用プリントサーバから受信した前記情報処理装置で生成された印刷データを特定する情報を含む書誌情報データを記憶管理する書誌情報データ記憶手段と、前記印刷装置に前記印刷データを特定する情報を含む一覧を送信し、当該送信された一覧から当該印刷装置でユーザによって出力指示された印刷データを特定する情報を含む印刷要求信号を受信する印刷要求信号受信手段と、当該印刷要求信号受信手段で受信した印刷要求信号に含まれる印刷データを特定する情報に対応する印刷データを出力すべく、当該印刷データを格納している蓄積印刷用プリントサーバに対して、前記印刷装置および前記印刷データを特定する情報を含む印刷命令信号を出力する印刷命令信号出力手段と、前記蓄積印刷用プリントサーバから通知される印刷実行できなかったと判定された印刷データを特定する情報である出力結果に従って生成される、印刷実行できなかった印刷データを特定する情報を含む印刷結果を、前記印刷要求信号が送信された印刷装置に通知する印刷結果通知手段とを有することを特徴とする。
【手続補正６】
【補正対象書類名】明細書
【補正対象項目名】００１０
【補正方法】変更
【補正の内容】
【００１０】
また、本発明は、１又は複数の情報処理装置と、印刷管理サーバと、蓄積印刷用プリントサーバと通信媒体を介して接続される印刷装置であって、前記印刷管理サーバから印刷データを特定する情報を含む一覧と、印刷結果とを受信する受信手段と、ユーザの指定に応じて出力指示された、当該印刷装置で印刷する印刷データを特定する情報を含む印刷要求信号を前記印刷管理サーバに送信する印刷要求手段と、前記印刷要求信号に応じて、前記蓄積印刷用プリントサーバから送信される印刷データを受信して印刷処理を行う印刷処理手段と、前記受信手段で受信した一覧と、前記印刷結果に従って特定される印刷実行できなかった印刷データを識別可能な情報とを表示させる表示手段とを有することを特徴とする。
【手続補正７】
【補正対象書類名】明細書
【補正対象項目名】００１１
【補正方法】変更
【補正の内容】
【００１１】
本発明によれば、プルプリントシステムにおいて、プリントサーバに蓄積された印刷データを所望の印刷装置から出力する際に、どの印刷データの印刷がエラーになったのかを、印刷管理サーバからの通知により印刷装置側で容易に把握することができる等の効果を奏する。